(57)【特許請求の範囲】
【請求項１】
軒棟方向に平行に離間しながら桁行方向に延在する屋根母屋上に、軒棟方向に長尺な複数の分割折板が桁行方向に並べて折板屋根が敷設されており、既存の分割折板を新設の分割折板に葺き替える折板屋根の葺き替え方法において、
前記折板屋根に、前記分割折板を葺き替える領域の桁行方向に移動自在とされ、且つ昇降自在とされた吊り子を配置し、
この吊り子の桁行方向の一方の端部に形成した第１係合部に、既存の分割折板の端部を係合させ、前記吊り子の桁行方向の他方の端部に形成した第２係合部に、前記既存の分割折板に替えて敷設する新設の分割折板の端部を係合させ、
前記吊り子の上昇移動及び桁行方向の移動により、前記既存の分割折板を撤去し、前記既存の分割折板が敷設されていた位置に前記新設の分割折板を敷設する際に、
前記新設の分割折板が敷設されるまで前記既存の分割折板が敷設されていた位置で開口する開口部を閉塞する閉塞工程を備えていることを特徴とする折板屋根の葺き替え方法。
【請求項２】
前記吊り子は、軒棟方向に延在する長尺な基部を備え、この基部の桁行方向の一方の端部に前記第１係合部が形成され、前記基部の桁行方向の他方の端部に前記第２係合部が形成されており、
前記閉塞工程は、前記吊り子の桁行方向の移動により前記第２係合部に係合した新設の分割折板が前記開口部を閉塞するときであることを特徴とする請求項１記載の折板屋根の葺き替え方法。
【請求項３】
前記吊り子は、前記開口部より大きな平面形状を有するカバーを備え、このカバーの桁行方向の一方の端部に前記第１係合部が形成され、前記カバーの桁行方向の他方の端部に前記第２係合部が形成されており、
前記閉塞工程は、前記吊り子の桁行方向の移動により前記カバーが前記開口部を閉塞するときであることを特徴とする請求項１記載の折板屋根の葺き替え方法。
【請求項４】
前記カバーに桁行方向に延在する孔部を設け、前記カバーで前記開口部を閉塞させたときに、前記孔部を通して前記カバーの上方から屋根母屋上に固定されているタイトフレームを目視し、前記タイトフレームの交換の要否を判断し、交換の必要がある場合には、前記孔部を利用してタイトフレームの交換を行うことを特徴とする請求項３記載の折板屋根の葺き替え方法。
【発明の詳細な説明】
【技術分野】
【０００１】
本発明は、軒棟方向に平行に離間しながら桁行方向に延在する屋根母屋上に、複数の分割折板が桁行方向に並べて敷設されている折板屋根を葺き替える方法に関する。
【背景技術】
【０００２】
図８は、切妻屋根１を備えた建物２を示すものである。切妻屋根１として、図９に示す折板屋根５が知られている。
図９の折板屋根５は、軒棟方向に平行に離間しながら桁行方向に延在する複数の金属製（Ｈ形鋼）の屋根母屋３Ａ，３Ｂ上に、複数の山形形状のタイトフレーム４が固定されている。そして、桁行方向に山部５ａ及び谷部５ｂが交互に形成され、屋根母屋３Ａ，３Ｂに掛け渡された金属製の折板屋根５が、タイトフレーム４上に、剣先ボルトにより固定されて敷設されている。
【０００３】
折板屋根５は、図１０に示すように、桁行方向に並べて葺き上げられた複数の分割折板６Ａ，６Ｂ，６Ｃ…で構成されている。分割折板６Ｂは、屋根母屋３Ａ，３Ｂに掛け渡されるように軒棟方向に長尺で桁行方向に短尺な部材であり、３つの山部５ａと２つの谷部５ｂが交互に連続して折曲された金属板である。他の分割折板６Ａ，６Ｃも同一の構造で形成されており、桁行方向に隣接する分割折板６Ａ，６Ｂ，６Ｃ…の山部５ａ同士を重合させた状態でタイトフレーム４に固定されている。
【０００４】
ところで、上述した折板屋根の葺き替え作業を行う場合には、例えば、特許文献１で記載されている折板屋根の施工を利用した方法が考えられる。
すなわち、折板屋根５を構成している複数の分割折板６Ａ，６Ｂ，６Ｃ…の葺き替え作業を行う場合には、既設の分割折板６Ａの上部の複数箇所に吊り体を固定し、既設の分割折板６Ａの周囲の屋根鉄骨部に複数の支柱を組み立てる。また、新設の分割折板の上部の複数箇所にも吊り体を固定しておく。
【０００５】
そして、既設の分割折板６Ａ上の吊り体と支柱との間に吊りワイヤを係合し、この吊りワイヤの昇降動作により既設の分割折板６Ａを吊り上げて他の屋根位置まで移送する。そして、新設の分割折板の吊り体に吊りワイヤを係合し、吊りワイヤの昇降動作により既存の分割折板６が敷設されていた位置まで新設の分割折板を移動して敷設する。このような、動作を、他の既設の分割折板６Ｂ，６Ｃ…及び新設の分割折板に対しても繰り返し行うことで、折板屋根５の葺き替え作業を行うようにしている。
【先行技術文献】
【特許文献】
【０００６】
【特許文献１】特開昭６３−１４７０４８号公報
【発明の概要】
【発明が解決しようとする課題】
【０００７】
しかし、上述した従来の折板屋根の葺き替え方法は、既設の分割折板６Ａ，６Ｂ，６Ｃ…を撤去した後から新設の分割折板に葺き替えるまでの間、既設の分割折板６Ａ，６Ｂ，６Ｃ…を敷設していた位置に開口部（図８に示す屋根１の一部で開口している開口部７）が生じてしまい、折板屋根の葺き替え作業に従事している作業員の安全性の面で問題がある。
また、従来の折板屋根の葺き替え方法は、既設及び新設の分割折板の上部に複数の吊り体を固定するとともに、葺き替えを行う分割折板の周囲に支柱を組み立てる作業を繰り返し行わなければならず、吊り体の固定、支柱の解体・組み立てに多くの時間が費やされるので、作業効率の面で問題があった。
そこで、本発明は、上記従来例の未解決の課題に着目してなされたものであり、作業安全性を高めながら折板屋根を効率良く葺き替えることができる折板屋根の葺き替え方法を提供することを目的としている。
【課題を解決するための手段】
【０００８】
上記目的を達成するために、本発明の一態様に係る折板屋根の葺き替え方法は、軒棟方向に平行に離間しながら桁行方向に延在する屋根母屋上に、軒棟方向に長尺な複数の分割折板が桁行方向に並べて折板屋根が敷設されており、既存の分割折板を新設の分割折板に葺き替える折板屋根の葺き替え方法において、上記折板屋根に、上記分割折板を葺き替える領域の桁行方向に移動自在とされ、且つ昇降自在とされた吊り子を配置し、この吊り子の桁行方向の一方の端部に形成した第１係合部に、既存の分割折板の端部を係合させ、上記吊り子の桁行方向の他方の端部に形成した第２係合部に、上記既存の分割折板に替えて敷設する新設の分割折板の端部を係合させ、上記吊り子の上昇移動及び桁行方向の移動により、上記既存の分割折板を撤去し、上記既存の分割折板が敷設されていた位置に上記新設の分割折板を敷設する際に、上記新設の分割折板が敷設されるまで上記既存の分割折板が敷設されていた位置で開口する開口部を閉塞する閉塞工程を備えていることを特徴とする折板屋根の葺き替え方法である。
【０００９】
また、本発明の一態様に係る折板屋根の葺き替え方法は、上記吊り子が、軒棟方向に延在する長尺な基部を備え、この基部の桁行方向の一方の端部に上記第１係合部が形成され、上記基部の桁行方向の他方の端部に上記第２係合部が形成されており、上記閉塞工程は、上記吊り子の桁行方向の移動により上記第２係合部に係合した新設の分割折板が上記開口部を閉塞するときであることが好ましい。
【００１０】
また、本発明の一態様に係る折板屋根の葺き替え方法は、上記吊り子が、上記開口部より大きな平面形状を有するカバーを備え、このカバーの桁行方向の一方の端部に上記第１係合部が形成され、上記カバーの桁行方向の他方の端部に上記第２係合部が形成されており、上記閉塞工程は、上記吊り子の桁行方向の移動により上記カバーが上記開口部を閉塞するときであることが好ましい。
さらに、上記カバーに桁行方向に延在する孔部を設けることにより、上記カバーで上記開口部を閉塞させたときに、上記孔部を通して上記カバーの上方から屋根母屋上に固定されているタイトフレームを目視し、上記タイトフレームの交換の要否を判断し、交換の必要がある場合には、上記孔部を利用してタイトフレームの交換を行うことが可能である。
【発明の効果】
【００１１】
本発明に係る折板屋根の葺き替え方法によれば、新設の分割折板が敷設されるまで既存の分割折板が敷設されていた位置で開口する開口部を閉塞する閉塞工程を備えていることから、作業安全性を高めながら折板屋根を効率良く葺き替えることができる。
【図面の簡単な説明】
【００１２】
【図１】本発明に係る折板屋根の葺き替え方法を行う場合に屋根に設置する吊り装置を示す概略図である。
【図２】吊り装置を構成する吊り子、昇降移行及び桁行移動機構などを示す斜視図である。
【図３】吊り装置を使用して既存の分割折板を撤去する途中の作業を示す図である。
【図４】吊り装置を使用して新設の分割折板を敷設する作業を示す図である。
【図５】吊り装置を構成する別の実施形態の吊り子を示す斜視図である。
【図６】吊り装置の孔部を利用してタイトフレームを交換が可能となった状態を示す斜視図である。
【図７】吊り装置を構成する別の実施形態の吊り子を示す斜視図である。
【図８】折板屋根の葺き替え方法を行う際に屋根の一部に開口部が生じることを示した図である。
【図９】折板屋根の構造を示した図である。
【図１０】山部、谷部を交互に形成した分割折板を桁行方向に複数連結してなる折板屋根を示した図である。
【発明を実施するための形態】
【００１３】
以下、本発明を実施するための形態（以下、実施形態という。）を、図面を参照しながら詳細に説明する。なお、図６から図８で示した構成と同一構成部分には、同一符号を付してその説明を省略する。
図１から図４は、本発明に係る折板屋根の葺き替え方法の１実施形態を示すものである。
【００１４】
図１に示すように、本実施形態の折板屋根の葺き替え方法を行う場合には、折板屋根５に、折板屋根の葺き替え領域Ｍを囲むように吊り装置１０が設置されている。
吊り装置１０は、図１及び図２に示すように、葺き替え領域Ｍを桁行方向から挟み込むように屋根母屋３Ａ，３Ｂのタイトフレーム４上から立設されている２対の柱部材１１ａ，１１ｂ及び１２ａ，１２ｂと、一対の柱部材１１ａ，１１ｂに張設されて桁行方向に延在している第１支持ワイヤ１３と、もう一対の柱部材１２ａ，１２ｂに張設されて桁行方向に延在している第２支持ワイヤ１４と、第１及び第２支持ワイヤ１３，１４に昇降機構１５を介して昇降自在とされ、桁行移動機構１６を介して桁行方向に移動自在に吊り下げられている吊り子１７と、を備えた装置である。桁行移動機構１６は、一対の滑車１６ａ，１６ｂと、これら一対の滑車１６ａ，１６ｂの間に連結する滑車連結板１６ｃと、を備え、一対の滑車１６ａ，１６ｂが第１支持ワイヤ１３、或いは第２支持ワイヤ１４に巻装されている。昇降機構１５は、上端が滑車１６ａ（或いは滑車１６ｂ）に結合し、下端が吊り子１７に結合している吊上げワイヤ１５ａと、吊上げワイヤ１５ａの巻き上げ、巻き戻し動作を行うレバーブロック（登録商標）１５ｂとを備えている。
【００１５】
吊り子１７は、平面視で折板屋根５を構成する分割折板６Ａ，６Ｂ，６Ｃ…と略同形状（軒棟方向に長尺で桁行方向に短尺な部材）で山部１７ａと谷部１７ｂが交互に形成されている金属板からなるカバー１７ｃと、このカバー１７ｃの短尺方向の両端部に形成され、既存の分割折板の短尺方向の端部が係合可能とされ、新設の分割折板の短尺方向の端部も係合可能とされている上方に折曲された係合部１７ｄ，１７ｅとを備えた部材である。
この吊り子１７のカバー１７ｃ上面に、短尺方向に延在して固定した補強部材１８を介して昇降機構１５の吊上げワイヤ１５ａの下端が固定されている。
【００１６】
次に、本実施形態の折板屋根の葺き替え方法の手順について図３及び図４を参照して説明する。図３及び図４では、屋根母屋３Ａ上に固定されている図７で示したタイトフレーム４を省略している。また、この図３では、葺き替えにより撤去される分割折板を、既存の分割折板６Ｃとし、この既存の分割折板６Ｃが敷設されていた位置に新たに敷設される分割折板を、新設の分割折板６ＣＮＥＷとする。
【００１７】
先ず、撤去する既存の分割折板６Ｃとタイトフレーム４との連結ボルトによる結合状態を解除する。なお、既存の分割折板６Ｃが屋根母屋３Ａ，３Ｂから下方向に滑らないように仮止め手段を施している。
次に、図３（ａ）に示すように、既存の分割折板６Ｃの端部と、隣接する分割折板６Ｂ、６Ｄの端部との重なりが、既存の分割折板６Ｃが上側となるように入れ替える。すなわち、図９で示したように、分割折板６Ｂの端部が既存の分割折板６Ｃの端部の上に重なっているので、図３（ａ）の符号Ｆで示す丸印のように、既存の分割折板６Ｃの端部が既分割折板６Ｂの端部の上に重なるように入れ替える。
【００１８】
次に、図３（ｂ）に示すように、吊り装置１０の吊り子１７を、各分割折板６Ａ〜６Ｅの山部１７ａから突出している剣先ボルト（不図示）に接触しない高さとなるように、昇降機構１５の操作により上方に移動させた後、既設の分割折板６Ｃに向けて桁行方向に移動させる。次に、吊り子１７の一方の係合部１７ｄを、既設の分割折板６Ｃの短尺方向の一方の端部に係合させる。
次に、図３（ｃ）に示すように、既設の分割折板６Ｃの短尺方向の他方の端部を作業員の補助で持ち上げ、既設の分割折板６Ｃを水平状態に保持する。そして、既設の分割折板６Ｃ及び吊り子１７を桁方向の矢印方向に移動し、既設の分割折板６Ｃを分割折板６Ｂの上方位置、吊り子１７を既設の分割折板６Ｃが敷設されていた位置の上方に位置させる。これにより、既設の分割折板６Ｃの撤去により分割折板６Ｂ，６の間に開口部が生じるが、この開口部を吊り子１７のカバー１７ｃが閉塞する。
【００１９】
次に、図４（ｄ）に示すように、吊り子１７の他方の係合部１７ｅを、新設の分割折板６ＣＮＥＷの短尺方向の一方の端部に係合するとともに、新設の分割折板６ＣＮＥＷの他方の端部側を作業員の補助で持ち上げ、新設の分割折板６ＣＮＥＷを水平状態に保持する。
次に、図４（ｅ）に示すように、既設の分割折板６Ｃ、吊り子１７及び新設の分割折板６ＣＮＥＷを桁方向の矢印方向に移動し、新設の分割折板６ＣＮＥＷを既設の分割折板６Ｃが、敷設されていた位置の上方に位置することで分割折板６Ｂ，６Ｄの間の開口部を閉塞する。また、新設の分割折板６ＣＮＥＷの短尺方向の一方の端部の山部と、分割折板６Ｄの短尺方向の一方の端部の山部とを重ね合せ（図４（ｅ）の符号Ｇで示す丸印の位置）、これらをタイトフレーム４に固定する。また、吊り子１７に係合していた既設の分割折板６Ｃは、他の位置に撤去する。
【００２０】
次に、図４（ｆ）に示すように、吊り子１７の他方の係合部１７ｅに係合していた新設の分割折板６ＣＮＥＷの短尺方向の他方の端部の山部を、分割折板６Ｂの短尺方向の一方の端部の山部に重ね合せる（図４（ｆ）の符号Ｈで示す丸印の位置）そして、分割折板６Ｂの短尺方向の一方の端部の山部が下部になり、分割折板６ＣＮＥＷの短尺方向の他方の端部の山部が上部なるように山部の重ね合せを変更したのち、これらをタイトフレーム４に固定する。
【００２１】
このように、図３（ａ）〜図３（ｃ）、図４（ｄ）〜（ｆ）の手順を行うことで、既設の分割折板６Ｃから新設の分割折板６ＣＮＥＷへの葺き替えを行うが、他の分割折板６Ａ，６Ｂ，６Ｄ，６Ｅと新設の分割折板との葺き替え作業も、同様の手順で行われる。
ここで、本発明に記載されている第１係合部が係合部１７ｄに相当し、本発明に記載されている第２係合部が係合部１７ｅに相当している。
【００２２】
次に、本実施形態の折板屋根の葺き替え方法の効果について説明する。
本実施形態の折板屋根の葺き替え方法によると、折板屋根の葺き替え作業時には、既存の分割折板、例えば分割折板６Ｃの撤去により、既存の分割折板６Ｃが敷設されていた位置で開口する分割折板６Ｂ，６の間の開口部は、吊り子１７のカバー１７ｃ（図３（ｃ）の状態）と、新設の分割折板６ＣＮＥＷ（図４（ｅ）の状態）で常に閉塞されるので、作業安全性を十分に確保することができる。
【００２３】
また、本実施形態は、吊り装置１０の吊り子１７が、葺き替え領域Ｍの桁行方向に移動し、且つ昇降動作を行うだけで、既存の分割折板（例えば分割折板６Ｃ）を新設の分割折板（例えば分割折板６ＣＮＥＷ）に簡単に葺き替えることができるので、折板屋根の葺き替え作業を効率良く行うことができる。
また、本実施形態の吊り子１７を構成するカバー１７は、金属板を折曲して山部１７ａ及び谷部１７ｂを交互に形成することで軽量化を図った部材としているので、吊り子１７の桁行方向の移動や昇降移動を小さな労力で行うことができるとともに、高所位置での吊り装置１０の組み立てを容易に行うことができる。
【００２４】
ここで、図５は吊り装置１０の第２実施形態の吊り子３０を示すものである。
本実施形態の吊り子３０は、カバー３０ｃが桁行方向に延在し、屋根母屋３Ａ，３Ｂと略同一の幅を有する孔部３０ｅを有している点で、図２に示した吊り子１７とは異なっている。なお、図５では、図２と同一の構成であるものについては同一符号を付して説明を省略する。
図５においては２つの孔部３０ｅが設けられており、これら孔部３０ｅは、カバー３０ｃが開口部を閉塞した際に（図３（ｃ）において吊り子１７を図５の吊り子３０に置き替えたものとなる）、カバー３０ｃの上方から屋根母屋３Ａ，３Ｂ上のタイトフレーム４をそれぞれ目視できる位置に設けられている。すなわち、カバー３０ｃにより閉塞した開口部においては、タイトフレーム４上にあった分割折板６Ｃは既に外されているので、カバー３０ｃの屋根母屋３Ａ，３Ｃ上方位置に孔部３０ｅを設けておけば、タイトフレーム４を孔部３０ｅの上方から目視することができる。
【００２５】
タイトフレーム４が錆の発生等の損傷により、もはや使用には耐えられないものとなった場合には、タイトフレーム４の交換の必要も生じる。本実施形態では、吊り子として桁行方向に延在する孔部３０ｅを設けたカバー３０ｃを有するものを用い、カバー３０ｃで開口部を閉塞させたときに、孔部３０ｅを通してカバー３０ｃの上方から屋根母屋３Ａ，３Ｂ上に固定されているタイトフレーム４を目視し、タイトフレーム４の交換の要否を判断する。そして、交換の必要有りと判断される場合には、図６に示すように、カバー３０ｃを分割折板６Ｂ，６Ｄに掛け渡して載置する。この状態では、図６中に符号Ｈで示す丸印の位置では、タイトフレーム４の上方に孔部３０ｅが位置するので、タイトフレーム４は何によっても覆われていない状態となる。よって、この孔部３０ｅを利用して、タイトフレーム４の損傷部分を切断し、新品のタイトフレームを接続する。
【００２６】
その後は、図４に示した上述の場合と同様にして分割折板６ＣＮＥＷを分割折板６Ｃが敷設されていた位置に敷設する。
以上説明した第２実施形態によれば、折板屋根の葺き替え作業の安全性の確保、作業効率といった効果の他に、タイトフレーム４の交換の要否の確認及び交換作業についても、安全性を十分に確保しつつ、効率良く行うことができる。
【００２７】
ここで、図７は、吊り装置１０の第３実施形態の吊り子２０を示すものである。
本実施形態の吊り子２０は、軒棟方向に延在する長尺な鉛直基板２１と、この鉛直基板２１の下部から直交する水平基板２２と、水平基板２２の短尺方向の両端部に形成され、既存の分割折板の短尺方向の端部が係合可能とされ、新設の分割折板の短尺方向の端部も係合可能とされている上方に折曲された係合部２３ａ，２３ｂとを備えた部材である。
【００２８】
ここで、本発明に記載されている第１係合部が係合部２３ａに相当し、本発明に記載されている第２係合部が係合部２３ｂに相当している。
上記構成の吊り子２０を使用して折板屋根の葺き替え方法を行うと、既存の分割折板６Ｃの撤去により、既存の分割折板６Ｃが敷設されていた位置で開口する分割折板６Ｂ，６の間の開口部は、吊り子２０の係合部２３ｂに短尺方向の端部が係合する新設の分割折板６ＣＮＥＷが閉塞するので、作業安全性を十分に確保することができる。
また、吊り子２０の大幅な軽量化を図ることができるので、吊り子２０の桁行方向の移動や昇降移動を、さらに小さな労力で行うことができるとともに、高所位置での吊り装置１０の組み立てもさらに容易に行うことができる。
【符号の説明】
【００２９】
３Ａ，３Ｂ…屋根母屋、４…タイトフレーム、５…折板屋根、５ａ…山部、５ｂ…谷部、６Ａ，６Ｂ，６Ｃ，６Ｄ，６Ｅ…分割折板、６ＣＮＥＷ…新設の分割折板、７…開口部、１０…吊り装置、１１ａ，１１ｂ，１２ａ，１２ｂ…柱部材、１３…第１支持ワイヤ、１４…第２支持ワイヤ、１５…昇降機構、１５ａ…吊上げワイヤ、１５ｂ…レバーブロック（登録商標）、１６…桁行移動機構、１６ａ，１６ｂ…滑車、１６ｃ…滑車連結板、１７…吊り子、１７ａ…山部、１７ｂ…谷部、１７ｃ…カバー、１７ｄ，１７ｅ…係合部、２０…吊り子、２１…鉛直基板、２２…水平基板、２３ａ，２３ｂ…係合部、３０…吊り子、３０ｃ…カバー、３０ｅ…孔部
【図１】
0006052240.tif 000002
【図２】
0006052240.tif 000003
【図３】
0006052240.tif 000004
【図４】
0006052240.tif 000005
【図５】
0006052240.tif 000006
【図６】
0006052240.tif 000007
【図７】
0006052240.tif 000008
【図８】
0006052240.tif 000009
【図９】
0006052240.tif 000010
【図１０】
0006052240.tif 000011